(57)【要約】タワー・ファンにおける水タンク・ボタン装置であって、タワー・ファンのリア・ケース（１）と、サポート部品と係合部品とによってリア・ケース（１）に着脱可能に設置される水タンク蓋（２）と、位置決め部品及び弾性位置規制部品を介して水タンク蓋（２）に接続されて相対移動し、押圧されることによって、水タンク蓋（２）とリア・ケース（１）との間の開閉を実現する水タンク・ボタン（３）と、固定部品によって前記水タンク蓋（２）に固定される水タンク部品（５）と、を含む。前記タワー・ファンにおける水タンク・ボタン装置及びタワー・ファンによると、水タンク・ボタン（３）を押圧するとタワー・ファン内の水タンクの取り外しを実現でき、構造が簡単で実現しやすく、確実で信頼性を有し、水タンクの着脱が簡単で便利であるとともに、全体の見栄えを保証し、組み立てが難しくて扇風機における各パーツを損害することを回避する。【選択図】図１
2021523994.tif 000002
【特許請求の範囲】
【請求項１】
タワー・ファンにおける水タンク・ボタン装置であって、
タワー・ファンのリア・ケース（１）と、
サポート部品と係合部品とによって前記リア・ケース（１）に着脱可能に設置される水タンク蓋（２）と、
位置決め部品及び弾性位置規制部品を介して前記水タンク蓋（２）に接続されて相対移動し、押圧されることによって、前記水タンク蓋（２）と前記リア・ケース（１）との間の開閉を実現する水タンク・ボタン（３）と、
固定部品によって前記水タンク蓋（２）に固定される水タンク部品（５）と、を含むことを特徴とする水タンク・ボタン装置。
【請求項２】
前記位置決め部品は、
前記水タンク・ボタン（３）の底部の両側にそれぞれ設置された位置決め柱と、
前記水タンク蓋（２）の内壁面に設けられ、前記位置決め柱を収容して固定し、前記位置決め柱が挿入されることによって、前記水タンク・ボタン（３）を前記水タンク蓋（２）に位置決めることを実現する位置決め孔と、を含むことを特徴する請求項１に記載の水タンク・ボタン装置。
【請求項３】
前記水タンク・ボタン（３）の底部の両側に設置された前記位置決め柱は、それぞれ対向して、内側へ延長することを特徴する請求項２に記載の水タンク・ボタン装置。
【請求項４】
前記位置決め部品は、
前記水タンク・ボタン（３）に設置されるボタン・ボス（３２）と、
前記水タンク蓋（２）に設置されて、前記ボタン・ボス（３２）を収容するためのキー貫通孔（２２）と、をさらに含むことを特徴する請求項２に記載の水タンク・ボタン装置。
【請求項５】
前記弾性位置規制部品は、
前記水タンク・ボタン（３）の一側の底部に設置されるバネ位置決め柱（３１）と、
中間部（４１）が前記バネ位置決め柱回りに回転可能に前記バネ位置決め柱（３１）に外嵌され、一端が前記水タンク・ボタン（３）に接続され、他端が前記水タンク蓋（２）に接続され、前記水タンク・ボタン（３）を前記水タンク蓋（２）に対して相対的に移動させることを実現することができるバネ（４）と、を含むことを特徴する請求項２に記載の水タンク・ボタン装置。
【請求項６】
前記固定部品は、
前記水タンク部品（５）の頂部の両側に設けられるねじ挿通孔（５８）と、
前記水タンク蓋（２）の内壁面に設置され、前記ねじ挿通孔（５８）に対応する箇所に位置するねじ柱（２８）と、
前記ねじ挿通孔（５８）及び前記ねじ柱（２８）に固定されることで、前記水タンク部品（５）を前記水タンク蓋（２）に固定する固定具と、を含むことを特徴する請求項１に記載の水タンク・ボタン装置。
【請求項７】
前記サポート部品は、
突出して前記水タンク蓋（２）の底部に設置される位置規制ホックと、
前記リア・ケース（１）に設置されて、前記位置規制ホックと係合して前記水タンク蓋（２）と前記リア・ケース（１）との相互サポートを実現する位置規制リブ（１２）と、を含むことを特徴する請求項１に記載の水タンク・ボタン装置。
【請求項８】
前記位置規制リブ（１２）は、前記水タンク蓋（２）にマッチングするリア・ケースの空白箇所の底部の縁部に設置され、隣接する前記位置規制リブ同士によって、前記水タンク蓋（２）の底部の前記位置規制ホックを収容するための位置規制溝を形成し、前記位置規制ホックと前記位置規制溝との協働によって、前記水タンク蓋（２）と前記リア・ケース（１）との相対移動を実現することを特徴する請求項７に記載の水タンク・ボタン装置。
【請求項９】
前記係合部品は、
前記リア・ケース（１）に設置されて、前記水タンク蓋（２）にマッチングするリア・ケースの空白箇所の頂部の縁部に位置するホルダー（１７）と、
前記水タンク・ボタン（３）に設置され、前記リア・ケース（１）の前記ホルダー（１７）にマッチングし、前記ホルダー（１７）と係合または離脱することで、前記水タンク蓋（２）が接続された水タンク・ボタン（３）と前記リア・ケース（１）との開閉を実現するホック（３７）と、を含むことを特徴する請求項８に記載の水タンク・ボタン装置。
【請求項１０】
請求項１乃至９のうちのいずれか一項に記載のタワー・ファンにおける水タンク・ボタン装置を備えることを特徴とするタワー・ファン。
【発明の詳細な説明】
【優先権主張】
【０００１】
この出願は、２０１８年９月１０日出願の中国特許出願第２０１８１１０５１８５４．７号で、発明名称「タワー・ファンにおける水タンク・ボタン装置及びタワー・ファン」である出願に基づく優先権を主張し、前記中国出願に記載された全ての記載内容を援用するものである。
【技術分野】
【０００２】
本発明は、扇風機技術分野に関し、特に、タワー・ファンにおける水タンク・ボタン装置及びタワー・ファンに関する。
【背景技術】
【０００３】
現在、加湿霧化機能付き扇風機が多く市販されており、これらの扇風機の加湿機能が水水タンクにより実現されることが多い。
【０００４】
しかし、大部分の扇風機の水タンクにはいずれもある程度の問題があり、例えば、扇風機における水タンクの着脱が煩雑であるか、または水タンクを取り外せないという問題があり、扇風機の外部に給水装置を接続すれば、外観に影響を与えて、見栄えや全体性が悪い。
【発明の概要】
【０００５】
本発明は、タワー・ファン内の水タンクの取り外しが簡単で、確実であって見栄えのよいタワー・ファンにおける水タンク・ボタン装置及びタワー・ファンを提供することをその目的とする。
【０００６】
上記目的を実現するために、本発明によるタワー・ファンにおける水タンク・ボタン装置及びタワー・ファンの技術案は以下のとおりである。
【０００７】
タワー・ファンにおける水タンク・ボタン装置であって、タワー・ファンのリア・ケースと、サポート部品と係合部品とによって前記リア・ケースに着脱可能に設置される水タンク蓋と、位置決め部品及び弾性位置規制部品を介して前記水タンク蓋に接続されて相対移動し、押圧されることによって、前記水タンク蓋と前記リア・ケースとの間の開閉を実現する水タンク・ボタンと、固定部品によって前記水タンク蓋に固定される水タンク部品と、を含む水タンク・ボタン装置。
【０００８】
さらに、前記位置決め部品は、前記水タンク・ボタンの底部の両側にそれぞれ設置された位置決め柱と、前記水タンク蓋の内壁面に設けられ、前記位置決め柱を収容して固定し、前記位置決め柱が挿入されることによって、前記水タンク・ボタンを前記水タンク蓋に位置決めることを実現する位置決め孔と、を含む。
【０００９】
さらに、前記水タンク・ボタンの底部の両側に設置された前記位置決め柱は、それぞれ対向して、内側へ延長する。
【００１０】
さらに、前記位置決め部品は、前記水タンク・ボタンに設置されるボタン・ボスと、前記水タンク蓋に設置されて、前記ボタン・ボスを収容するためのキー貫通孔と、をさらに含む。
【００１１】
さらに、前記弾性位置規制部品は、前記水タンク・ボタンの一側の底部に設置されるバネ位置決め柱と、中間部が前記バネ位置決め柱回りに回転可能に前記バネ位置決め柱に外嵌され、一端が前記水タンク・ボタンに接続され、他端が前記水タンク蓋に接続され、前記水タンク・ボタンを前記水タンク蓋に対して相対的に移動させることを実現することができるバネと、を含む。
【００１２】
さらに、前記固定部品は、前記水タンク部品の頂部の両側に設けられるねじ挿通孔と、前記水タンク蓋の内壁面に設置され、前記ねじ挿通孔に対応する箇所に位置するねじ柱と、前記ねじ挿通孔及び前記ねじ柱に固定されることで、前記水タンク部品を前記水タンク蓋に固定する固定具と、を含む。
【００１３】
さらに、前記サポート部品は、突出して前記水タンク蓋の底部に設置される位置規制ホックと、前記リア・ケースに設置されて、前記位置規制ホックと係合して前記水タンク蓋と前記リア・ケースとの相互サポートを実現する位置規制リブと、を含む。
【００１４】
さらに、前記位置規制リブは、前記水タンク蓋にマッチングするリア・ケースの空白箇所の底部の縁部に設置され、隣接する前記位置規制リブ同士によって、前記水タンク蓋の底部の前記位置規制ホックを収容するための位置規制溝を形成し、前記位置規制ホックと前記位置規制溝との協働によって、前記水タンク蓋と前記リア・ケースとの相対移動を実現する。
【００１５】
さらに、前記係合部品は、前記リア・ケースに設置されて、前記水タンク蓋にマッチングするリア・ケースの空白箇所の頂部の縁部に位置するホルダーと、前記水タンク・ボタンに設置され、前記リア・ケースの前記ホルダーにマッチングし、前記ホルダーと係合または離脱することで、前記水タンク蓋が接続された水タンク・ボタンと前記リア・ケースとの開閉を実現するホックと、を含む。
【００１６】
上述したタワー・ファンにおける水タンク・ボタン装置を備えるタワー・ファン。
【００１７】
本発明のタワー・ファンにおける水タンク・ボタン装置及びタワー・ファンによると、水タンク・ボタンを押圧するとタワー・ファン内の水タンクの取り外しを実現でき、構造が簡単で実現しやすく、確実で信頼性を有し、水タンクの着脱が簡単で便利であるとともに、全体の見栄えを保証し、組み立てが難しくて扇風機における各パーツを損害することを回避することができる。
【図面の簡単な説明】
【００１８】
【図１】本発明のタワー・ファンの構造の爆発図である。
【図２】本発明におけるリア・ケースの構造の模式図である。
【図３】本発明における水タンク・ボタン、水タンク部品が装着されていない水タンク蓋の構造の模式図である。
【図４】本発明における水タンク・ボタンが装着された水タンク蓋の構造の模式図である。
【図５】本発明における水タンク・ボタンの正面図である。
【図６】本発明における水タンク・ボタンの背面図である。
【図７】本発明におけるバネの構造の模式図である。
【図８】本発明における水タンク部品の構造の模式図である。
【図９】本発明の水タンク・ボタン装置の組み立て図である。
【図面符号の説明】
【００１９】
１、リア・ケース；１１、１３、１５、位置規制溝；１２、位置規制リブ；１７、ホルダー；２、水タンク蓋；２１、２３、２５、位置規制ホック；２２、キー貫通孔；２４、２６、位置決め孔；２７、位置規制溝；２８、ねじ柱；２９、水タンク蓋の弧面；３、水タンク・ボタン；３１、バネ位置決め柱；３２、ボタン・ボス；３４、３６、位置決め柱；３７、ホック；３８、ボタン位置規制溝；３９、水タンク・ボタンの弧面；４、バネ；４１、中間部；４８、頭部；４７、尾部；５、水タンク部品；５８、ねじ挿通孔。
【発明を実施するための形態】
【００２０】
本発明の目的、構造及び機能をさらに理解するように、以下、図面を結合して本発明によるタワー・ファンをさらに詳しく説明する。
【００２１】
図１乃至図９に示すように、本発明のタワー・ファンにおける水タンク・ボタン装置は、タワー・ファンのリア・ケース１と、水タンク蓋２と、水タンク・ボタン３と、水タンク部品５と、を含む。水タンク蓋２は両端のサポート部品と係合部品とによってリア・ケース１に着脱可能に設置される。水タンク・ボタン３は、位置決め部品及び弾性位置規制部品を介して水タンク蓋２に接続されて相対移動し、水タンク・ボタン３が押圧されることによって、水タンク蓋２とリア・ケース１との間の開閉を実現する。水タンク部品５は固定部品によって水タンク蓋２に固定される。本発明において、水タンク・ボタンを押圧すると、タワー・ファン内の水タンク部品の取り外しを実現でき、簡単で便利であって、全体の見栄えがよい。
【００２２】
さらに、水タンク・ボタン３は、位置決め部品及び弾性位置規制部品を介して水タンク蓋２に接続されて、水タンク蓋２の内壁面の頂部に設置される。具体的には、位置決め部品は、位置決め孔及び位置決め柱、並びにボタン・ボス及びキー貫通孔、を含む。図５と図６に示すように、位置決め柱３４、３６は、それぞれ水タンク・ボタン３の底部の両側に設置され、それぞれ対向して内側へ延長する。図３に示すように、位置決め孔２４、２６は、水タンク蓋２の内壁面に設置され、位置決め柱にマッチングして、位置決め柱を収容して固定する。水タンク・ボタン３の位置決め柱を水タンク蓋２の位置決め孔内に挿入することによって、水タンク・ボタン３を水タンク蓋２に位置決めることを実現する。ボタン・ボス３２は、突出して水タンク・ボタン３に設置されて、キー貫通孔２２内に嵌め込まれることに用いられる。キー貫通孔２２は、水タンク蓋２に設置されて、ボタン・ボスにマッチングし、ボタン・ボス３２を収容することに用いられる。水タンク蓋２の内部からボタン・ボス３２をキー貫通孔２２内に嵌め込んだら、利用者はタワー・ファンの外部から水タンク・ボタン３を押圧することができる。ここで、位置決め孔は、キー貫通孔２２の底部の両側に位置する。また、水タンク・ボタン３の弧面３９の弧度が水タンク蓋２の弧面２９の弧度と同一することで、水タンク・ボタン３と水タンク蓋２との有効な協働を実現できる。
【００２３】
さらに、弾性位置規制部品は、バネ４と、バネ位置決め柱３１と、ボタン位置規制溝３８と、水タンク蓋位置規制溝と、を含む。バネ位置決め柱は、水タンク・ボタン３の一側の底部に設置されて外側へ延長し、位置決め柱の他側に位置する。バネ４の中間部４１はバネ位置決め柱３１に外嵌され、バネ４の両端はバネ位置決め柱３１回りに回転する。バネの一端である頭部４８は、水タンク・ボタン３の外側（すなわち、水タンク蓋２から離れる側）で水タンク・ボタン３に接続され（水タンク・ボタン３上の凹んだボタン位置規制溝３８内に固定される）、他端である尾部４７は、水タンク蓋２に接続され（水タンク蓋２の内壁面上の位置規制溝２７内に固定される）、これにより、水タンク・ボタン３が水タンク蓋２上に有効に固定されることができ、バネ４の弾性作用によって水タンク・ボタン３がバネ４を介して水タンク蓋２と相対移動することができる。具体的に、バネの弾性作用によって、利用者が水タンク・ボタン３上のボタン・ボス３２を押圧して、水タンク・ボタン３が圧力を受けて内側へ移動すると、バネ４は圧力を受けて伸長し続け、一方、バネの他端に接続された水タンク蓋２はバネ４からの圧力を受けるとともに、水タンク部品５の重力作用（水タンク部品５と水タンク蓋２とが一緒に固定されており、詳細は以下で説明する。）を受ける。従って、水タンク蓋２は水タンク・ボタン３の移動と相反する方向へ移動し、すなわち、水タンク蓋２は外側へ移動する。
【００２４】
さらに、水タンク部品５は、固定部品によって水タンク蓋２に固定される。固定部品はねじ柱２８と、ねじ挿通孔５８と、固定具と、を含む。ねじ挿通孔５８は、水タンク部品５の頂部の両側に形成され、ねじ柱２８は、水タンク蓋２の内壁面に設置されてねじ挿通孔５８に対向する箇所に位置する。水タンク蓋２のねじ柱２８と水タンク部品５のねじ挿通孔５８とを合致させた後に、固定具（例えば、ねじ等）によってねじ挿通孔５８とねじ柱２８に固定し、すなわち水タンク部品５を水タンク蓋２に固定することができる。
【００２５】
さらに、水タンク蓋２は、底部のサポート部品を介してリア・ケース１に取り外し可能に接続される。サポート部品は、位置規制ホックと位置規制リブ１２とを含む。位置規制ホックは、突出して水タンク蓋２の底部に設置される。図３に示す位置規制ホック２１、２３、２５は、リア・ケース１の位置規制リブ１２と協働する。位置規制リブ１２は、リア・ケース１上に設置されて、水タンク蓋２にマッチングするリア・ケースの空白箇所の底部の縁部上に位置する。図２に示すように、隣接する位置規制リブ１２同士によって位置規制溝１１、１３、１５を形成し、位置規制溝は、水タンク蓋２の底部の位置規制ホック２１、２３、２５を収容する。水タンク蓋２の位置規制ホックを対応して位置規制溝を通過させることで、水タンク蓋２とリア・ケース１の相互サポート及び相対移動を実現する。
【００２６】
さらに、水タンク蓋２は、頂部の係合部品を介してリア・ケース１に接続されて開閉を実現する。係合部品は、ホック３７と、ホルダー１７とを、含む。ホルダー１７は、リア・ケース１上に設置されて、水タンク蓋２にマッチングするリア・ケースの空白箇所の頂部の縁部上に位置し、ホック３７と係合する。ホック３７は、水タンク・ボタン３上に設置されて、ボタン・ボス３２の底部に位置し、リア・ケース１のホルダー１７にマッチングし、ホルダー１７と係合またはホルダー１７から離脱することで、水タンク蓋２が接続された水タンク・ボタン３とリア・ケース１との開閉を実現する。水タンク・ボタン３のホック３７とリア・ケース１のホルダー１７が接触すると、水タンク部品の重力とバネの作用で、水タンク・ボタン３のホック３７は、回転してリア・ケース１上のホルダー１７に係合してロック状態になる。一方、水タンク部品５を取り外す時に、水タンク・ボタン３のボタン・ボス３２を押圧すると、ホック３７が回転してホルダー１７から離脱し、水タンク・ボタン３に接続された水タンク蓋２もリア・ケース１から離れて、水タンク部品５を取り外して取り出すことができる。
【００２７】
本発明は、上述したタワー・ファンにおける水タンク・ボタン装置を含むタワー・ファンをさらに提供する。
【００２８】
以下、図面を結合して本発明によるタワー・ファンにおける水タンク・ボタン装置及びタワー・ファンの動作プロセスを説明する。
【００２９】
まず、装着プロセスにおいて、まず水タンク・ボタン３の位置決め柱３４、３６をそれぞれ水タンク蓋２の位置決め孔２４、２６に挿入して位置決めを行った後に、利用者がタワー・ファンの外部から水タンク・ボタン３を押圧できるように、ボタン・ボス３２を水タンク蓋２の内側からキー貫通孔２２に挿入する。
【００３０】
そして、バネ４によって水タンク・ボタン３と水タンク蓋２とを接続し、バネの中間部４１は水タンク・ボタン３のバネ位置決め柱３１に外嵌されて固定され、バネ４の頭部４８は水タンク・ボタン３の外側（水タンク蓋２から離れる側）からボタン位置規制溝３８に固定され、バネの尾部４７は水タンク蓋２の水タンク蓋位置規制溝２７に固定される。バネ４の両端は、バネ位置決め柱３１回りに回転し、タワー・ファンの外部から水タンク・ボタンのボタン・ボス３２を押圧すれば、水タンク・ボタン３は、バネ４を介して水タンク蓋２に接続され、且つボタン・ボス３２は、キー貫通孔２２に即時に戻ることができる。
【００３１】
続いて、固定具によって水タンク部品５及び水タンク蓋２を固定し、まず水タンク部品５上のねじ挿通孔５８と水タンク蓋２上のねじ柱２８とを合致させた後に、固定具をねじ挿通孔とねじ柱内に打ち込むと、水タンク部品５を水タンク蓋２上に固定することができる。
【００３２】
最後に、タワー・ファンの外部から水タンク部品５が接続された水タンク蓋２をリア・ケース１に装着し、水タンク蓋２の底部の位置規制ホック２１、２３、２５をリア・ケース１の底部の位置規制溝１１、１３、１５を通過させると、水タンク蓋２はリア・ケース１の底部の位置規制溝回りに前後移動可能になる。底部の固定を完成した後に、頂部を固定し、水タンク・ボタン３のホック３７とリア・ケース１のホルダー１７とを接触させ、水タンク部品５の重力作用及びバネ４の弾性作用によって、水タンク・ボタン３のホック３７は回転してリア・ケース１のホルダー１７に係合してロック状態になる。
【００３３】
使用中に、水タンク部品５を取り外しようとする場合、タワー・ファンの外部から水タンク・ボタン３のボタン・ボス３２を押圧すると、ホック３７が、回転してリア・ケース１のホルダー１７から離脱して、水タンク・ボタン３に接続された水タンク蓋２が、リア・ケース１から離れて、開放するプロセスを完成し、水タンク部品を取り出すことができる。
【００３４】
本発明によるタワー・ファンにおける水タンク・ボタン装置及びタワー・ファンによると、水タンク・ボタンを押圧するとタワー・ファン内の水タンクの取り外しを実現でき、構造が簡単で実現しやすく、確実で信頼性を有し、水タンクの着脱が簡単で便利であるとともに、全体の見栄えを保証し、組み立てが難しくて扇風機における各パーツを損害することを回避することができる。
【００３５】
以上、具体的な実施例によって本発明を説明したが、このような具体的な説明は本発明の実質や範囲を限定するものではなく、当業者が本明細書に基づいて上記実施例に行った各種の修正はいずれも本発明の保護範囲に含まれる。
【図１】
2021523994.tif 000003
【図２】
2021523994.tif 000004
【図３】
2021523994.tif 000005
【図４】
2021523994.tif 000006
【図５】
2021523994.tif 000007
【図６】
2021523994.tif 000008
【図７】
2021523994.tif 000009
【図８】
2021523994.tif 000010
【図９】
2021523994.tif 000011
【国際調査報告】
2021523994.tif 000012
2021523994.tif 000013
2021523994.tif 000014
2021523994.tif 000015
2021523994.tif 000016